(57)【要約】【課題】所定の特性を算出するための心拍数をより精度良く抽出する。【解決手段】心拍数計測部２５１はユーザの心拍数を計測する。算出用心拍数抽出部２５３は、心拍数計測部２５１が計測した心拍数のうち、所定の特性に応じた一部の区間の心拍数を、所定の特性を算出するための心拍数として抽出する。【選択図】図１
2014132934.tif 000002
【特許請求の範囲】
【請求項１】
ユーザの心拍数を計測する計測部と、
前記計測部が計測した心拍数のうち、所定の特性に応じた一部の区間の心拍数を、前記所定の特性を算出するための心拍数として抽出する抽出部と、
を備えることを特徴とする計測装置。
【請求項２】
前記計測部が計測した心拍数を第１の間隔で抽出する総平均用心拍数抽出部と、
前記総平均用心拍数抽出部が抽出した心拍数の平均値を計測中の総平均心拍数として算出する総平均心拍数算出部と、
を備え、
前記抽出部は、前記計測部が計測した心拍数のうち、一部の区間の心拍数を前記第１の間隔と同じまたは前記第１の間隔より短い第２の間隔で抽出する
ことを特徴とする請求項１に記載の計測装置。
【請求項３】
前記一部の区間は、前記計測部による計測終了の所定時間前から計測終了までの区間である
ことを特徴とする請求項１または２に記載の計測装置。
【請求項４】
前記一部の区間は、前記計測部が計測した心拍数の値が所定範囲内の区間である
ことを特徴とする請求項１または２に記載の計測装置。
【請求項５】
前記一部の区間は、前記計測部による計測開始直後の所定時間を除く
ことを特徴とする請求項４に記載の計測装置。
【請求項６】
前記一部の区間は、前記計測部が計測した心拍数の変化率が所定値以下の区間である
ことを特徴とする請求項１または２に記載の計測装置。
【請求項７】
前記一部の区間は、前記計測部が計測した心拍数の変化率が所定値以下である区間のうち、最後の所定時間である
ことを特徴とする請求項６に記載の計測装置。
【請求項８】
前記一部の区間は、前記計測部による計測開始から所定時間経過後を中心とした所定範囲である
ことを特徴とする請求項１または２に記載の計測装置。
【請求項９】
前記計測部が計測した心拍数に含まれるノイズを検出するノイズ検出部
を備え、
前記抽出部は、前記ノイズ検出部がノイズを検出した場合、前記ノイズが含まれる心拍数を抽出しない
ことを特徴とする請求項１から８のいずれか１項に記載の計測装置。
【請求項１０】
ユーザの心拍数を計測する計測ステップと、
前記計測ステップで計測した心拍数のうち、所定の特性に応じた一部の区間の心拍数を、前記所定の特性を算出するための心拍数として抽出する抽出ステップと、
を含むことを特徴とする計測方法。
【発明の詳細な説明】
【技術分野】
【０００１】
本発明は、計測装置および計測方法に関する。
【背景技術】
【０００２】
現在、ユーザの身体に装着され、運動するユーザの心拍数を計測する装置が存在する（例えば、特許文献１）。特許文献１には、ユーザの心臓の鼓動に伴って発生する心電信号を検出し、心電信号のパルス間隔に応じて心拍数を算出する装置が記載されている。この装置は、算出した心拍数から無酸素性運動閾値を決定し、無酸素性運動閾値における運動強度を基準にして、運動時の運動強度より脂肪燃焼率を算出する。
【先行技術文献】
【特許文献】
【０００３】
【特許文献１】特許第３２７８８０８号公報
【発明の概要】
【発明が解決しようとする課題】
【０００４】
ところで、計測を開始してから計測を終了するまでの総平均心拍数に基づいて無酸素性運動閾値を算出すると、運動開始直後の安静から運動時への移行区間が総平均心拍数に含まれるため、精度良く無酸素性運動閾値を算出することができない。また、無酸素性運動閾値に限らず、心拍数に基づいて所定の特性を算出する場合、一部区間の心拍数のみを用いた方が精度良く算出できる場合がある。特許文献１に記載の技術では、一部区間の心拍数のみを用いて無酸素性運動閾値を算出しようとしても、どの区間の心拍数を用いていいかがわからず、精度良く無酸素性運動閾値を算出することができない、という問題がある。
【０００５】
本発明は、本発明は上述の事情を鑑みてなされたものであり、所定の特性を算出するための心拍数をより精度良く抽出することができる計測装置および計測方法を提供することを目的とする。
【課題を解決するための手段】
【０００６】
本発明は、ユーザの心拍数を計測する計測部と、前記計測部が計測した心拍数のうち、所定の特性に応じた一部の区間の心拍数を、前記所定の特性を算出するための心拍数として抽出する抽出部と、を備えることを特徴とする計測装置である。
【０００７】
また、本発明の計測装置において、前記計測部が計測した心拍数を第１の間隔で抽出する総平均用心拍数抽出部と、前記総平均用心拍数抽出部が抽出した心拍数の平均値を計測中の総平均心拍数として算出する総平均心拍数算出部と、を備え、前記抽出部は、前記計測部が計測した心拍数のうち、一部の区間の心拍数を前記第１の間隔より短い第２の間隔で抽出することを特徴とする。
【０００８】
また、本発明の計測装置において、前記一部の区間は、前記計測部による計測終了の所定時間前から計測終了までの区間であることを特徴とする。
【０００９】
また、本発明の計測装置において、前記一部の区間は、前記計測部が計測した心拍数の値が所定範囲内の区間であることを特徴とする。
【００１０】
また、本発明の計測装置において、前記一部の区間は、前記計測部による計測開始直後の所定時間を除くことを特徴とする。
【００１１】
また、本発明の計測装置において、前記一部の区間は、前記計測部が計測した心拍数の変化率が所定値以下の区間であることを特徴とする。
【００１２】
また、本発明の計測装置において、前記一部の区間は、前記計測部が計測した心拍数の変化率が所定値以下である区間のうち、最後の所定時間であることを特徴とする。
【００１３】
また、本発明の計測装置において、前記一部の区間は、前記計測部による計測開始から所定時間経過後を中心とした所定範囲であることを特徴とする。
【００１４】
また、本発明は、前記計測部が計測した心拍数に含まれるノイズを検出するノイズ検出部を備え、前記抽出部は、前記ノイズ検出部がノイズを検出した場合、前記ノイズが含まれる心拍数を抽出しないことを特徴とする計測装置である。
【００１５】
また、本発明は、ユーザの心拍数を計測する計測ステップと、前記計測ステップで計測した心拍数のうち、所定の特性に応じた一部の区間の心拍数を、前記所定の特性を算出するための心拍数として抽出する抽出ステップと、を含むことを特徴とする計測方法である。
【発明の効果】
【００１６】
本発明によれば、計測部はユーザの心拍数を計測する。また、抽出部は、計測部が計測した心拍数のうち、所定の特性に応じた一部の区間の心拍数を、所定の特性を算出するための心拍数として抽出する。これにより、所定の特性を算出するための心拍数をより精度良く抽出することができる。
【図面の簡単な説明】
【００１７】
【図１】本発明の実施形態による心拍計測システムの構成を示すブロック図である。
【図２】本実施形態による心拍計測装置の外観を示す図である。
【図３】本実施形態による出力装置の外観を示す図である。
【図４】本実施形態による算出用心拍数抽出部が心拍数を抽出する区間の一例を示す図である。
【図５】本実施形態による算出用心拍数抽出部が心拍数を抽出する区間の一例を示す図である。
【図６】本実施形態による算出用心拍数抽出部が心拍数を抽出する区間の一例を示す図である。
【図７】本実施形態による算出用心拍数抽出部が心拍数を抽出する区間の一例を示す図である。
【図８】本実施形態による算出用心拍数抽出部が心拍数を抽出する区間の一例を示す図である。
【図９】本実施形態における出力装置が実行する計測処理の処理手順を示したフローチャートである。
【発明を実施するための形態】
【００１８】
以下、本発明の実施形態について、図面を参照して説明する。図１は、本実施形態による心拍計測システム１の構成を示すブロック図である。心拍計測システム１は、心拍計測装置１００と、出力装置２００（計測装置）とを備えている。図２は、本実施形態による心拍計測装置１００の外観を示す図である。図に示すように、心拍計測装置１００は、ユーザの胸部の全周に亘って装着されるように略環状に形成されている。心拍計測装置１００は、ユーザの胸部にベルトによって装着され、一対の電極を身体の胸部（生体表面）に接触させることにより、心臓の鼓動に伴って発生する心電信号を検出し、検出した心電信号を出力装置２００に送信する。図３は、本実施形態による出力装置２００の外観を示す図である。図に示すように、出力装置２００は、ストップウォッチ機能を備えた腕時計型のものであって、ユーザの手首（腕）にベルトによって装着される。出力装置２００は、ユーザの手首の全周に亘って装着されるように略環状に形成されている。
【００１９】
以下、図１の説明に戻る。心拍計測装置１００は、電源部１１０と、計測部１２０と、送信回路１３０と、アンテナ１４０とを備えている。電源部１１０は、心拍計測装置１００が備える各部に電力を供給する。計測部１２０は、電極１２１と、電極１２２と、検出回路１２３と、制御部１２４とを備えており、心臓の鼓動に伴って発生する心電信号を検出し、検出した心電信号を出力する。電極１２１と電極１２２とは、一対の電極であり、心臓の鼓動に伴って発生する心電信号を検出する。検出回路１２３は、電極１２１と電極１２２とが検出した心電信号を、制御部１２４に出力する。
【００２０】
制御部１２４は、心拍計測装置１００が備える各部を制御する。例えば、制御部１２４は、送信回路１３０とアンテナ１４０とを介して、入力された心電信号を出力装置２００に送信する。送信回路１３０は、計測部１２０が検出した心電信号を、アンテナ１４０を介して出力装置２００に送信する。アンテナ１４０は、無線通信を行い、出力装置２００のアンテナ２９０に、計測部１２０が検出した心電信号を送信する。
【００２１】
出力装置２００は、電源部２１０と、装着部２２０と、入力部２３０と、表示部２４０と、制御部２５０と、ブザー２６０と、照明２７０と、受信回路２８０と、アンテナ２９０とを備えている。電源部２１０は、出力装置２００が備える装着部２２０以外の各部に電力を供給する。
【００２２】
装着部２２０は、出力装置２００をユーザの腕に装着するためのベルトである。入力部２３０は、ユーザからの操作入力を受付ける。例えば、入力部２３０は、心拍数の計測を開始する計測開始や心拍数の計測を終了する計測終了等の指示の入力を受け付け、入力された指示を制御部２５０に出力する。
【００２３】
表示部２４０は、情報を表示するディスプレイである。制御部２５０は、出力装置２００が備える各部を制御する。また、制御部２５０は、心拍数計測部２５１と、総平均用心拍数抽出部２５２と、算出用心拍数抽出部２５３と、総平均心拍数算出部２５４と、算出用心拍数算出部２５５と、記憶部２５６と、表示制御部２５７と、ノイズ検出部２５８と、時間計測部２５９とを備えており、心拍計測装置１００から送信された心電信号に基づいて、心拍数を計測し、計測した心拍数に基づいて総平均心拍数と算出用平均心拍数とを算出する。総平均心拍数は、計測開始から計測終了までの心拍数の平均値である。算出用平均心拍数は、例えば、無酸素性運動閾値等の所定の特性を算出するための心拍数である。
【００２４】
心拍数計測部２５１は、一定時間毎に、心拍計測装置１００から受信した心電信号のパルス間隔に応じて心拍数を算出する。ここで、心電信号のパルス間隔とは、例えば心電信号のピーク間の間隔である。総平均用心拍数抽出部２５２は、入力部２３０により測定開始が入力されてから測定終了が入力されるまでの間、心拍数計測部２５１が測定した心拍数を所定のサンプリング間隔Ｓ１で抽出する。そして、総平均用心拍数抽出部２５２は、抽出した心拍数を記憶部２５６の所定領域（以下、第１のバッファとする。）に記憶する。このとき、総平均用心拍数抽出部２５２は、第１のバッファから記憶してある心拍数を読み出し、読み出した心拍数に抽出した心拍数を加算し、加算後の心拍数を総平均用心拍数として第１のバッファに記憶する。
【００２５】
算出用心拍数抽出部２５３は、入力部２３０により測定開始が入力されてから測定終了が入力されるまでの間のうち所定条件を満たす一部の区間において、心拍数計測部２５１が測定した心拍数を所定のサンプリング間隔Ｓ２で抽出する。そして、算出用心拍数抽出部２５３は、抽出した心拍数を算出用心拍数として記憶部２５６の所定領域（以下、第２のバッファとする。）に記憶する。サンプリング間隔Ｓ２は、サンプリング間隔Ｓ１と同じ、またはサンプリング間隔Ｓ１より短い。算出用心拍数は、例えば、無酸素性運動閾値等の所定の特性を算出するための心拍数である。また、所定条件を満たす一部の区間は、所定の特性応じた区間である。ただし、算出用心拍数抽出部２５３は、ノイズ検出部２５８がノイズを検出した場合は、心拍数を抽出しない。
【００２６】
総平均心拍数算出部２５４は、総平均用心拍数抽出部２５２が抽出した全ての心拍数の平均値を総平均心拍数として算出する。具体的には、総平均心拍数算出部２５４は、記憶部２５６の第１のバッファから総平均用心拍数を読み出し、読み出した総平均用心拍数をサンプリング数ｎ１で除算することにより総平均用心拍数を算出する。サンプリング数ｎ１は、総平均用心拍数抽出部２５２が心拍数を抽出した回数である。算出用心拍数算出部２５５は、算出用心拍数抽出部２５３が抽出した全ての心拍数の平均値を算出用平均心拍数として算出する。具体的には、算出用心拍数算出部２５５は、記憶部２５６の第２のバッファから全ての算出用心拍数を読み出し、読み出した算出用心拍数の平均値を算出する。
【００２７】
記憶部２５６は、種々の情報を記憶する。また、記憶部２５６は、総平均用心拍数抽出部２５２が抽出した総平均用心拍数を記憶する第１のバッファと算出用心拍数抽出部２５３が抽出した算出用心拍数を記憶する第２のバッファとを有する。表示制御部２５７は、心拍数計測部２５１が計測した心拍数や、総平均心拍数算出部２５４が算出した総平均心拍数、算出用心拍数算出部２５５が算出した算出用平均心拍数等を表示部２４０に表示する。
【００２８】
ノイズ検出部２５８は、心拍数計測部２５１が計測した心拍数からノイズを検出する。例えば、ノイズ検出部２５８は、心拍数が正常値であるか否かを判定するための心拍数の閾値と、計測した心拍数とを比較することにより、ノイズがあるか否かを判定する。心拍数が正常値であるか否かを判定するための心拍数の閾値は、予め記憶してもよいし、予め記憶してあるユーザ特有の心拍数に関する特有情報に基づいて算出してもよい。時間計測部２５９は、計時に用いるクロックを生成する発振部を有し、時間を計測するストップウォッチ機能を実行する。
【００２９】
ブザー２６０は、音を出力するスピーカである。例えば、ブザー２６０は、警告音等を出力する。照明２７０は、暗い場所等においても表示部２４０をユーザが視認できるように、表示部２４０に光を照射する。受信回路２８０は、心拍計測装置１００から送信される心電信号を、アンテナ２９０を介して受信する。アンテナ２９０は、無線通信を行い、心拍計測装置１００のアンテナ１４０から、心拍計測装置１００の計測部１２０が検出した心電信号を受信する。
【００３０】
次に、図４〜図８を参照して、算出用心拍数抽出部２５３が心拍数を抽出する一部の区間について説明する。図４〜図８は、本実施形態による算出用心拍数抽出部２５３が心拍数を抽出する区間の一例を示す図である。図４〜図８に示すグラフは、縦軸が心拍数であり、横軸が経過時間である。すなわち、図４〜図８に示すグラフの実線は、経過時間に伴う心拍数の変化を示す。本例では、ランニング等の運動を開始してから終了するまでの心拍数の変化を示している。ユーザは運動を開始するときに出力装置２００に計測開始を入力し、運動を終了すると出力装置２００に計測終了を入力する。図示するように、運動開始（測定開始）直後の安静から運動時への移行期間には心拍数が上昇し、運動時には上昇した心拍数が一定になる。そして、運動終了後には心拍数が下降する。また、図４〜図８に斜線で示す領域は、算出用心拍数抽出部２５３が心拍数を抽出する区間を示す。算出用心拍数抽出部２５３は、以下に説明する条件１〜５いずれかに合致する区間の心拍数をサンプリング間隔Ｓ２で抽出する。なお、算出用心拍数抽出部２５３がいずれの条件に合致する区間の心拍数を抽出するかは、設定や算出する所定の特性に応じて変更可能である。
【００３１】
図４に示す例では、算出用心拍数抽出部２５３は、条件１「計測終了までの最後の所定時間（例えば、５分間）」に合致する区間の心拍数を抽出する。すなわち、算出用心拍数抽出部２５３は、計測終了の所定時間前から計測終了までの間の心拍数を抽出する。具体的には、算出用心拍数抽出部２５３は、入力部２３０から測定開始の指示が入力されると、サンプリング間隔Ｓ２で心拍数を抽出してそのデータを第２のバッファに記憶する。そして、算出用心拍数抽出部２５３は、第２のバッファに記憶した心拍数のデータが所定時間分まで溜まったら、最も古い心拍数のデータを最新の心拍数のデータで上書きすることで、常に最新から所定時間までの心拍数のデータを第２のバッファに保持する。
【００３２】
このように、「計測終了までの最後の所定時間」における心拍数のデータを抽出することにより、運動終了後における心拍数の下がり具合を検証することができ、例えば、所定の特性として心拍強度等を精度良く算出することができる。なお、本図に示す例では、「計測終了までの最後の所定時間」に合致する区間の心拍数を抽出しているが、例えば、「計測開始から最初の所定時間（例えば、５分間）」に合致する区間の心拍数を抽出してもよい。この場合、運動開始直後の安静から運動時への移行期間における心拍数の上り具合を検証することができ、例えば、所定の特性として心拍強度等を精度良く算出することができる。
【００３３】
図５に示す例では、算出用心拍数抽出部２５３は、条件２「心拍数が所定の範囲内（例えば、ｂ１以上ｂ２未満）であって、計測開始から所定時間（例えば、５分）以降」に合致する区間の心拍数を抽出する。所定の範囲は、運動時におけるユーザの心拍数の範囲であり、予め設定されている。すなわち、算出用心拍数抽出部２５３は、計測開始から所定時間経過後に計測された心拍数であって、その値が所定の範囲内である心拍数をサンプリング間隔Ｓ２で抽出する。具体的には、算出用心拍数抽出部２５３は、入力部２３０から計測開始の指示が入力されてから所定時間経過後、所定の範囲内にある心拍数を抽出してそのデータを第２のバッファに記憶する。
【００３４】
このように、所定の範囲内の心拍数を抽出することにより、運動時におけるユーザの心拍数を抽出することができる。また、計測開始から所定時間経過後の心拍数を抽出しているため、運動開始直後の安静から運動時までの移行期間の心拍数を除くことができる。これにより、抽出した心拍数に基づいて、無酸素性運動閾値等の所定の特性を精度良く算出することができる。
【００３５】
図６に示す例では、算出用心拍数抽出部２５３は、条件３「心拍数の変化率が所定値以下」に合致する区間の心拍数を抽出する。すなわち、算出用心拍数抽出部２５３は、本図に示すグラフにおける実線の傾きが一定（所定範囲内）である区間の心拍数をサンプリング間隔Ｓ２で抽出してそのデータを第２のバッファに記憶する。
【００３６】
このように、変化率が所定値以下である区間の心拍数を抽出することにより、心拍数が一定になる運動時の心拍数を抽出することができる。すなわち、運動開始直後の安静から運動時までの移行期間の心拍数を抽出することを防ぐことができる。これにより、抽出した心拍数に基づいて、無酸素性運動閾値等の所定の特性を精度良く算出することができる。
【００３７】
図７に示す例では、算出用心拍数抽出部２５３は、条件４「心拍数の変化率が所定値以下のうち最後の所定時間（例えば、５分）」に合致する区間の心拍数を抽出する。すなわち、算出用心拍数抽出部２５３は、本図に示すグラフにおける実線の傾きが一定（所定範囲内）になると、サンプリング間隔Ｓ２で心拍数を抽出してそのデータを第２のバッファに記憶する。そして、算出用心拍数抽出部２５３は、第２のバッファに記憶した心拍数のデータが所定時間分まで溜まったら、最も古い心拍数のデータを最新の心拍数のデータで上書きすることで、常に最新から所定時間までの心拍数のデータを第２のバッファに保持する。そして、算出用心拍数抽出部２５３は、本図に示すグラフの傾きが一定でなくなると、心拍数の抽出を停止する。
【００３８】
このように、変化率が所定値以下である区間の心拍数を抽出することにより、心拍数が一定になる運動時の心拍数を抽出することができる。すなわち、運動開始直後の安静から運動時までの移行期間の心拍数を抽出することを防ぐことができる。また、最後の所定時間の心拍数を抽出することにより、運動終了直前の心拍数を抽出することができる。これにより、抽出した心拍数に基づいて、無酸素性運動閾値等の所定の特性を精度良く算出することができる。
【００３９】
図８に示す例では、算出用心拍数抽出部２５３は、条件５「計測開始から所定時間ｔ１経過後を中心とした所定時間ｔ２（例えば、５分）」に合致する区間の心拍数を抽出する。所定時間ｔ１は、ユーザが運動開始直後の安静から運動時に完全に移行したと想定される時間であり、予め設定されている。すなわち、算出用心拍数抽出部２５３は、計測開始からの経過時間がｔ１−ｔ２／２からｔ１＋ｔ２／２までの間、サンプリング間隔Ｓ２で心拍数を抽出してそのデータを第２のバッファに記憶する。具体的には、算出用心拍数抽出部２５３は、入力部２３０から測定開始の指示が入力されてからｔ１−ｔ２／２経過すると、心拍数の抽出を開始する。そして、算出用心拍数抽出部２５３は、入力部２３０から測定開始の指示が入力されてからｔ１＋ｔ２／２経過すると、心拍数の抽出を停止する。
【００４０】
このように、計測開始から所定時間ｔ１付近の心拍数を抽出することにより、ユーザの運動時における心拍数を抽出することができる。すなわち、運動開始直後の安静から運動時までの移行期間の心拍数を抽出することを防ぐことができる。これにより、抽出した心拍数に基づいて、無酸素性運動閾値等の所定の特性を精度良く算出することができる。
【００４１】
次に、本実施形態における出力装置２００が、心拍数を計測する計測処理について説明する。図９は、本実施形態における出力装置２００が実行する計測処理の処理手順を示したフローチャートである。本図に示す処理は、例えば、ユーザがランニング等の運動をするときに実行する処理である。
【００４２】
ユーザが、心拍計測装置１００（胸ベルト）を装着すると、計測部１２０は、心電信号を検出する。心拍計測装置１００の送信回路１３０は、計測部１２０が検出した心電信号を、アンテナ１４０を介して出力装置２００に送信する。ユーザは、出力装置２００（時計）を腕に装着する。
【００４３】
（ステップＳ１０１）出力装置２００の受信回路２８０が、心拍計測装置１００から送信される心電信号を、アンテナ２９０を介して受信する。その後、ステップＳ１０２の処理に進む。
（ステップＳ１０２）心拍数計測部２５１は、受信した心電信号のパルス間隔に応じて、心拍数を算出する。その後、ステップＳ１０３の処理に進む。
（ステップＳ１０３）表示制御部２５７は、心拍数計測部２５１が算出した心拍数を表示部２４０に表示させる。その後、ステップＳ１０４の処理に進む。
【００４４】
（ステップＳ１０４）制御部２５０は、入力部２３０に計測開始の指示が入力されたか否かを判定する。計測開始の指示が入力された場合（ステップＳ１０４：Ｙｅｓ）、ステップＳ１０５の処理に進む。一方、計測開始の指示が入力されていない場合（ステップＳ１０４：Ｎｏ）、ステップＳ１０４の処理に戻る。
（ステップＳ１０５）総平均用心拍数抽出部２５２は、総平均用心拍数の抽出を開始する。具体的には、総平均用心拍数抽出部２５２は、心拍数計測部２５１が計測した心拍数をサンプリング間隔Ｓ１で抽出してそのデータを記憶部２５６の第１のバッファに記憶する。また、時間計測部２５９は、ストップウォッチ機能による時間の計測を開始する。その後、ステップＳ１０６の処理に進む。
【００４５】
（ステップＳ１０６）制御部２５０は、入力部２３０に計測終了の指示が入力されたか否かを判定する。計測終了の指示が入力された場合（ステップＳ１０６：Ｙｅｓ）、制御部２５０は、心拍数計測部２５１による心拍数の計測と総平均用心拍数抽出部２５２による総平均用心拍数の抽出と時間計測部２５９による時間の計測とを終了し、ステップＳ１０９の処理に進む。一方、計測終了の指示が入力されていない場合（ステップＳ１０６：Ｎｏ）、ステップＳ１０７の処理に戻る。
（ステップＳ１０７）制御部２５０は、所定条件を満たすか否かを判定する。この所定条件は、上述した条件１〜５のうち予め設定されたものである。所定条件を満たす場合（ステップＳ１０７：Ｙｅｓ）、ステップＳ１０８の処理に進む。一方、所定条件を満たさない場合（ステップＳ１０７：Ｎｏ）、ステップＳ１０６の処理に戻る。
（ステップＳ１０８）算出用心拍数抽出部２５３は、算出用心拍数をサンプリング間隔Ｓ２で抽出する。具体的には、算出用心拍数抽出部２５３は、心拍数計測部２５１が計測した心拍数をサンプリング間隔Ｓ２で抽出してそのデータを記憶部２５６の第２のバッファに記憶する。ただし、算出用心拍数抽出部２５３は、ノイズ検出部２５８がノイズを検出している場合は、心拍数を抽出しない。その後、ステップＳ１０６の処理に戻る。
【００４６】
（ステップＳ１０９）総平均心拍数算出部２５４は、記憶部２５６の第１のバッファから総平均用心拍数のデータを読み出し、読み出したデータに基づいて総平均心拍数を算出する。その後、ステップＳ１１０の処理に進む。
（ステップＳ１１０）算出用心拍数算出部２５５は、記憶部２５６の第２のバッファから算出用心拍数のデータを読み出し、読み出したデータに基づいて算出用平均心拍数を算出する。その後、ステップＳ１１１の処理に進む。
（ステップＳ１１１）表示制御部２５７は、総平均心拍数算出部２５４が算出した総平均心拍数と算出用心拍数算出部２５５が算出した算出用平均心拍数とを表示部２４０に表示させる。その後、本計測処理を終了する。
【００４７】
上述したとおり、本実施形態では、制御部２５０は、総平均用心拍数を抽出する区間のうち所定条件を満たす一部の区間において算出用心拍数を抽出する。これにより、例えば、無酸素性運動閾値などの所定の特性を算出するために、精度の高い心拍数のデータをサンプリングすることができる。また、本実施形態では、制御部２５０は、総平均用心拍数のサンプリング間隔Ｓ１よりも短いサンプリング間隔Ｓ２で算出用心拍数を抽出している。これにより、より細かいデータを抽出することができ、無酸素性運動閾値などの所定の特性をより精度良く算出することができる。また、本実施形態では、サンプリング間隔Ｓ１とサンプリング間隔Ｓ２とを同じ間隔（Ｓ１＝Ｓ２）とした場合、サンプル条件に入ったデータのみを単に使用する。また、本実施形態では、総平均用心拍数と算出用心拍数とを同時（共通の演算処理）で抽出（サンプリング）しているため、演算処理の負荷（時間）や抽出した心拍数を記憶するために必要なバッファデータ容量を削減することができる。
【００４８】
なお、本発明における心拍計測装置１００および出力装置２００が備える各部の機能全体あるいはその一部を実現するためのプログラムをコンピュータ読み取り可能な記録媒体に記録して、この記録媒体に記録されたプログラムをコンピュータシステムに読み込ませ、実行することにより心拍数の計測を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００５０】
以上、本発明の実施形態について説明したが、本発明は、上記実施形態に限定されるものではなく、本発明の趣旨を逸脱しない範囲において種々の変更を加えることが可能である。
【００５１】
例えば、本実施形態では、心拍数を計測等する処理を行う機能部を、心拍計測装置１００と出力装置２００とが分散して備える一例を示したが、用途や運動の種目等に応じて構成することができる。例えば、本実施形態では、出力装置２００の心拍数計測部２５１が心電信号に基づいて心拍数を算出する例を示したが、心拍数計測部２５１と同様の機能を心拍計測装置１００が備えるようにしてもよい。この場合、心拍計測装置１００の制御部１２４が心拍数を計測し、計測した心拍数を示す信号を出力装置２００に送信する。
【００５２】
あるいは、腕時計タイプの出力装置２００を用いずに、制御部２５０の機能を備えるＰＣ（パーソナルコンピュータ）である出力装置に、心拍計測装置１００の検出した心電信号を送信するようにしてもよい。この場合、例えば、ＰＣである出力装置が心拍数の計測や、総平均心拍数の算出、算出用平均心拍数の算出等の処理を行い、処理結果をグラフ等にまとめて出力することができる。
【００５３】
また、本実施形態では、出力装置２００は、心拍数のみを計測しているが、これに限らず、心拍数とともにストップウォッチ機能による時間の計測を行ってもよい。
【符号の説明】
【００５４】
１・・・心拍計測システム、１００・・・心拍計測装置、１１０，２１０・・・電源部、１２０・・・計測部、１２１，１２２・・・電極、１２３・・・検出回路、１２４，２５０・・・制御部、１３０・・・送信回路、１４０，２９０・・・アンテナ、２００・・・出力装置、２２０・・・装着部、２３０・・・入力部、２４０・・・表示部、２５１・・・心拍数計測部、２５２・・・総平均用心拍数抽出部、２５３・・・算出用心拍数抽出部、２５４・・・総平均心拍数算出部、２５５・・・算出用心拍数算出部、２５６・・・記憶部、２５７・・・表示制御部、２５８・・・ノイズ検出部、２５９・・・時間計測部、２６０・・・ブザー、２７０・・・照明、２８０・・・受信回路
【図１】
2014132934.tif 000003
【図２】
2014132934.tif 000004
【図３】
2014132934.tif 000005
【図４】
2014132934.tif 000006
【図５】
2014132934.tif 000007
【図６】
2014132934.tif 000008
【図７】
2014132934.tif 000009
【図８】
2014132934.tif 000010
【図９】
2014132934.tif 000011